(57)【要約】【課題】２つの異なる制御方式に対応可能な照明制御装置を提供する。【解決手段】照明制御部１０は、通信部１００とシリアル信号生成部１０２とＰＷＭ信号生成部１０３と制御部１０１とを備える。通信部１００は、照明器具１を制御する照明制御信号ＬＣを受信する。シリアル信号生成部１０２は、光源駆動部２０を制御するシリアル信号ＳＬを、照明制御信号ＬＣに基づいて生成する。ＰＷＭ信号生成部１０３は、光源駆動部２０を制御するＰＷＭ信号を、照明制御信号ＬＣに基づいて生成する。制御部１０１は、返信要求信号ＲＱをシリアル通信によって光源駆動部２０に送信するように、シリアル信号生成部１０２を制御する。制御部１０１は、返信要求信号ＲＱに対する光源駆動部２０からの返信信号ＡＳの有無に基づいて、光源駆動部２０の制御モードをデジタル制御モードおよびＰＷＭ制御モードのうちのいずれかに設定する。【選択図】図２
2019192529.tif 000002
【特許請求の範囲】
【請求項１】
照明器具の光源を駆動する光源駆動部を制御する照明制御装置であって、
前記照明器具を制御する照明制御信号を受信する通信部と、
前記光源駆動部を制御するシリアル信号を、前記照明制御信号に基づいて生成するシリアル信号生成部と、
前記光源駆動部を制御するＰＷＭ信号を、前記照明制御信号に基づいて生成するＰＷＭ信号生成部と、
所定信号をシリアル通信によって前記光源駆動部に送信するように、前記シリアル信号生成部を制御する制御部と
を備え、
前記制御部は、前記所定信号に対する前記光源駆動部からの返信信号の有無に基づいて、前記光源駆動部の制御モードをデジタル制御モードおよびＰＷＭ制御モードのうちのいずれかに設定し、
前記デジタル制御モードは、前記シリアル信号生成部に前記シリアル信号を生成させて、前記シリアル通信によって前記シリアル信号を前記光源駆動部に送信し、前記シリアル信号によって前記光源駆動部を制御するモードを示し、
前記ＰＷＭ制御モードは、前記ＰＷＭ信号生成部に前記ＰＷＭ信号を生成させて、前記ＰＷＭ信号を前記光源駆動部に送信し、前記ＰＷＭ信号によって前記光源駆動部を制御するモードを示す、照明制御装置。
【請求項２】
前記制御部は、
前記所定信号が前記光源駆動部に送信された時から所定時間以内に、前記光源駆動部から前記返信信号を受信した場合に、前記制御モードを前記デジタル制御モードに設定し、
前記所定信号が前記光源駆動部に送信された時から前記所定時間以内に、前記返信信号を受信しなかった場合に、前記制御モードを前記ＰＷＭ制御モードに設定する、請求項１に記載の照明制御装置。
【請求項３】
照明器具であって、
光源と、
前記光源を駆動する光源駆動部と、
前記光源駆動部を制御する照明制御部と
を備え、
前記照明制御部は、
前記照明器具を制御する照明制御信号を受信する通信部と、
前記光源駆動部を制御するシリアル信号を、前記照明制御信号に基づいて生成するシリアル信号生成部と、
前記光源駆動部を制御するＰＷＭ信号を、前記照明制御信号に基づいて生成するＰＷＭ信号生成部と、
所定信号をシリアル通信によって前記光源駆動部に送信するように、前記シリアル信号生成部を制御する制御部と
を含み、
前記制御部は、前記所定信号に対する前記光源駆動部からの返信信号の有無に基づいて、前記光源駆動部の制御モードをデジタル制御モードおよびＰＷＭ制御モードのうちのいずれかに設定し、
前記デジタル制御モードは、前記シリアル信号生成部に前記シリアル信号を生成させて、前記シリアル通信によって前記シリアル信号を前記光源駆動部に送信し、前記シリアル信号によって前記光源駆動部を制御するモードを示し、
前記ＰＷＭ制御モードは、前記ＰＷＭ信号生成部に前記ＰＷＭ信号を生成させて、前記ＰＷＭ信号を前記光源駆動部に送信し、前記ＰＷＭ信号によって前記光源駆動部を制御するモードを示し、
前記光源駆動部は、前記シリアル信号に基づいて前記光源を駆動する、照明器具。
【請求項４】
照明器具であって、
光源と、
前記光源を駆動する光源駆動部と、
前記光源駆動部を制御する照明制御部と
を備え、
前記照明制御部は、
前記照明器具を制御する照明制御信号を受信する通信部と、
前記光源駆動部を制御するシリアル信号を、前記照明制御信号に基づいて生成するシリアル信号生成部と、
前記光源駆動部を制御するＰＷＭ信号を、前記照明制御信号に基づいて生成するＰＷＭ信号生成部と、
所定信号をシリアル通信によって前記光源駆動部に送信するように、前記シリアル信号生成部を制御する制御部と
を含み、
前記制御部は、前記所定信号に対する前記光源駆動部からの返信信号の有無に基づいて、前記光源駆動部の制御モードをデジタル制御モードおよびＰＷＭ制御モードのうちのいずれかに設定し、
前記デジタル制御モードは、前記シリアル信号生成部に前記シリアル信号を生成させて、前記シリアル通信によって前記シリアル信号を前記光源駆動部に送信し、前記シリアル信号によって前記光源駆動部を制御するモードを示し、
前記ＰＷＭ制御モードは、前記ＰＷＭ信号生成部に前記ＰＷＭ信号を生成させて、前記ＰＷＭ信号を前記光源駆動部に送信し、前記ＰＷＭ信号によって前記光源駆動部を制御するモードを示し、
前記光源駆動部は、前記ＰＷＭ信号に基づいて前記光源を駆動する、照明器具。
【請求項５】
請求項３または請求項４に記載の照明器具と、
前記照明器具に前記照明制御信号を送信するシステム制御部と
を備える、照明システム。
【発明の詳細な説明】
【技術分野】
【０００１】
本発明は、照明制御装置、照明器具、および照明システムに関する。
【背景技術】
【０００２】
特許文献１に記載された調光装置は、無線通信部と、調光信号出力部とを備える。調光信号出力部は、無線通信部から受信した制御信号に従って、調光信号を照明器具に出力する。調光信号は、デジタル調光信号（ＤＡＬＩ、ＤＭＸ等）またはＰＷＭ信号である。デジタル調光信号による照明器具の制御方式はデジタル制御方式であり、ＰＷＭ信号による照明器具の制御方式はＰＷＭ制御方式である。
【先行技術文献】
【特許文献】
【０００３】
【特許文献１】特開２０１４−５６６７０号公報
【発明の概要】
【発明が解決しようとする課題】
【０００４】
しかしながら、特許文献１に記載された調光装置は、デジタル制御方式およびＰＷＭ制御方式の両方に対応するものではない。一般的に、調光装置のような照明制御装置は、２つの異なる制御方式に対応することはできず、デジタル制御方式に対応する照明器具にはデジタル制御専用の照明制御装置を接続する必要があり、ＰＷＭ制御方式に対応する照明器具にはＰＷＭ制御専用の照明制御装置を接続する必要がある。
【０００５】
本発明は、上記問題に鑑みてなされたものであり、その目的は、２つの異なる制御方式に対応可能な照明制御装置、照明器具、および照明システムを提供することにある。
【課題を解決するための手段】
【０００６】
本願に開示する照明制御装置は、照明器具の光源を駆動する光源駆動部を制御する。照明制御装置は、通信部と、シリアル信号生成部と、ＰＷＭ信号生成部と、制御部とを備える。通信部は、前記照明器具を制御する照明制御信号を受信する。シリアル信号生成部は、前記光源駆動部を制御するシリアル信号を、前記照明制御信号に基づいて生成する。ＰＷＭ信号生成部は、前記光源駆動部を制御するＰＷＭ信号を、前記照明制御信号に基づいて生成する。制御部は、所定信号をシリアル通信によって前記光源駆動部に送信するように、前記シリアル信号生成部を制御する。前記制御部は、前記所定信号に対する前記光源駆動部からの返信信号の有無に基づいて、前記光源駆動部の制御モードをデジタル制御モードおよびＰＷＭ制御モードのうちのいずれかに設定する。前記デジタル制御モードは、前記シリアル信号生成部に前記シリアル信号を生成させて、前記シリアル通信によって前記シリアル信号を前記光源駆動部に送信し、前記シリアル信号によって前記光源駆動部を制御するモードを示す。前記ＰＷＭ制御モードは、前記ＰＷＭ信号生成部に前記ＰＷＭ信号を生成させて、前記ＰＷＭ信号を前記光源駆動部に送信し、前記ＰＷＭ信号によって前記光源駆動部を制御するモードを示す。
【０００７】
本願に開示する照明制御装置において、前記制御部は、前記所定信号が前記光源駆動部に送信された時から所定時間以内に、前記光源駆動部から前記返信信号を受信した場合に、前記制御モードを前記デジタル制御モードに設定し、前記所定信号が前記光源駆動部に送信された時から前記所定時間以内に、前記返信信号を受信しなかった場合に、前記制御モードを前記ＰＷＭ制御モードに設定する。
【０００８】
本願に開示する照明器具は、光源と、前記光源を駆動する光源駆動部と、前記光源駆動部を制御する照明制御部とを備える。照明制御装置は、通信部と、シリアル信号生成部と、ＰＷＭ信号生成部と、制御部とを備える。通信部は、前記照明器具を制御する照明制御信号を受信する。シリアル信号生成部は、前記光源駆動部を制御するシリアル信号を、前記照明制御信号に基づいて生成する。ＰＷＭ信号生成部は、前記光源駆動部を制御するＰＷＭ信号を、前記照明制御信号に基づいて生成する。制御部は、所定信号をシリアル通信によって前記光源駆動部に送信するように、前記シリアル信号生成部を制御する。前記制御部は、前記所定信号に対する前記光源駆動部からの返信信号の有無に基づいて、前記光源駆動部の制御モードをデジタル制御モードおよびＰＷＭ制御モードのうちのいずれかに設定する。前記デジタル制御モードは、前記シリアル信号生成部に前記シリアル信号を生成させて、前記シリアル通信によって前記シリアル信号を前記光源駆動部に送信し、前記シリアル信号によって前記光源駆動部を制御するモードを示す。前記ＰＷＭ制御モードは、前記ＰＷＭ信号生成部に前記ＰＷＭ信号を生成させて、前記ＰＷＭ信号を前記光源駆動部に送信し、前記ＰＷＭ信号によって前記光源駆動部を制御するモードを示す。前記光源駆動部は、前記シリアル信号に基づいて前記光源を駆動する。
【０００９】
本願に開示する照明器具は、光源と、前記光源を駆動する光源駆動部と、前記光源駆動部を制御する照明制御部とを備える。照明制御装置は、通信部と、シリアル信号生成部と、ＰＷＭ信号生成部と、制御部とを備える。通信部は、前記照明器具を制御する照明制御信号を受信する。シリアル信号生成部は、前記光源駆動部を制御するシリアル信号を、前記照明制御信号に基づいて生成する。ＰＷＭ信号生成部は、前記光源駆動部を制御するＰＷＭ信号を、前記照明制御信号に基づいて生成する。制御部は、所定信号をシリアル通信によって前記光源駆動部に送信するように、前記シリアル信号生成部を制御する。前記制御部は、前記所定信号に対する前記光源駆動部からの返信信号の有無に基づいて、前記光源駆動部の制御モードをデジタル制御モードおよびＰＷＭ制御モードのうちのいずれかに設定する。前記デジタル制御モードは、前記シリアル信号生成部に前記シリアル信号を生成させて、前記シリアル通信によって前記シリアル信号を前記光源駆動部に送信し、前記シリアル信号によって前記光源駆動部を制御するモードを示す。前記ＰＷＭ制御モードは、前記ＰＷＭ信号生成部に前記ＰＷＭ信号を生成させて、前記ＰＷＭ信号を前記光源駆動部に送信し、前記ＰＷＭ信号によって前記光源駆動部を制御するモードを示す。前記光源駆動部は、前記ＰＷＭ信号に基づいて前記光源を駆動する。
【００１０】
本願に開示する照明システムは、上記照明器具と、システム制御部とを備える。システム制御部は、前記照明器具に前記照明制御信号を送信する。
【発明の効果】
【００１１】
本発明によれば、２つの異なる制御方式に対応可能である。
【図面の簡単な説明】
【００１２】
【図１】本発明の実施形態に係る照明システムを示す図である。
【図２】本実施形態に係る照明システムの照明制御部を示す図である。
【図３】本実施形態に係る照明システムの照明制御部による制御モード設定処理を示すフローチャートである。
【図４】本実施形態に係る照明システムの照明制御部による照明制御処理を示すフローチャートである。
【発明を実施するための形態】
【００１３】
以下、本発明の実施形態について、図面を参照しながら説明する。なお、図中、同一または相当部分については同一の参照符号を付して説明を繰り返さない。
【００１４】
図１を参照して、本発明の実施形態に係る照明システムＳＹＳを説明する。図１は、実施形態に係る照明システムＳＹＳを示す図である。図１に示すように、照明システムＳＹＳは、システム制御部２００と、単数または複数の照明器具１とを備える。本実施形態では、照明システムＳＹＳは複数の照明器具１を備える。システム制御部２００は複数の照明器具１を制御する。システム制御部２００と複数の照明器具１の各々とは、有線通信または無線通信を行う。
【００１５】
システム制御部２００は、ＭＣＵ（Ｍｉｃｒｏ  Ｃｏｎｔｒｏｌｌｅｒ  Ｕｎｉｔ）のようなコンピューターを含む。コンピューターは、プロセッサーおよび記憶装置を含む。記憶装置は、コンピュータープログラムおよびデータを記憶する。記憶装置は、半導体メモリーのような主記憶装置および補助記憶装置を含む。プロセッサーは、記憶装置に記憶されたコンピュータープログラムを実行して、各種処理を実行する。
【００１６】
複数の照明器具１の各々は、照明制御部１０と、光源駆動部２０と、光源３０とを備える。照明制御部１０は、端子ｔ０と、端子ｔ１と、端子ｔ２とを含む。光源駆動部２０は、端子ｔ１０と、端子ｔ１１とを含む。照明制御部１０は「照明制御装置」の一例に相当する。
【００１７】
照明制御部１０は光源駆動部２０を制御する。そして、光源駆動部２０は、照明制御部１０の制御に従って光源３０を駆動する。その結果、光源３０が点灯する。つまり、光源３０は光を出射する。光源３０は、例えば、単数または複数の発光ダイオード（Ｌｉｇｈｔ  Ｅｍｉｔｔｉｎｇ  Ｄｉｏｄｅ：ＬＥＤ）を含む。光源３０は、例えば、照明器具１の光色が制御される場合には、互いに光色の異なる複数の発光ダイオードを含む。
【００１８】
なお、光源駆動部２０は、交流直流変換回路と、定電流回路とを含む。交流直流変換回路は、交流電源から供給される交流電圧を直流電圧に変換する。定電流回路は、交流直流変換回路が出力した直流電圧に基づいて定電流を生成する。定電流は光源３０に供給される。
【００１９】
複数の照明器具１のうちの照明器具１Ａは、デジタル制御方式に対応している。デジタル制御方式とは、シリアル通信によるシリアル信号に基づく照明器具の制御方式のことである。デジタル制御方式は、例えば、ＤＡＬＩ（Ｄｅｇｉｔａｌ  Ａｄｄｒｅｓｓａｂｌｅ  Ｌｉｇｈｔｉｎｇ  Ｉｎｔｅｒｆａｃｅ）規格、または、ＲＳ４８５規格に準拠している。なお、照明システムＳＹＳは、単数または複数の照明器具１Ａだけを備えていてもよい。
【００２０】
照明器具１Ａの光源駆動部２０は、デジタル制御方式に対応している。以下、デジタル制御方式に対応している光源駆動部２０を「光源駆動部２０Ａ」と記載する場合がある。光源駆動部２０Ａは、ＭＣＵのようなコンピューターと、通信部とを含む。コンピューターの構成は、システム制御部２００のコンピューターの構成と同様である。通信部は照明制御部１０と通信する。通信部は、例えば、通信インタフェースまたは通信機である。通信部は、シリアル通信を実行する。
【００２１】
照明制御部１０と光源駆動部２０Ａとは、第１信号線ＳＬ１および第２信号線ＳＬ２によって接続されている。具体的には、端子ｔ０と端子ｔ１０とが第１信号線ＳＬ１によって接続される。端子ｔ１と端子ｔ１１とが第２信号線ＳＬ２によって接続される。
【００２２】
第１信号線ＳＬ１および第２信号線ＳＬ２は、照明制御部１０から光源駆動部２０Ａへ差動信号を伝達し、または、光源駆動部２０Ａから照明制御部１０へ差動信号を伝達する。
【００２３】
本実施形態では、第１信号線ＳＬ１および第２信号線ＳＬ２は、照明制御部１０から光源駆動部２０Ａへ、返信要求信号ＲＱまたはシリアル信号ＳＬを伝達する。返信要求信号ＲＱまたはシリアル信号ＳＬの各々は、差動信号である。光源駆動部２０Ａは、シリアル信号ＳＬに基づいて光源３０を駆動する。また、第１信号線ＳＬ１および第２信号線ＳＬ２は、光源駆動部２０Ａから照明制御部１０へ、返信信号ＡＳを伝達する。返信信号ＡＳは差動信号である。
【００２４】
なお、第１信号線ＳＬ１は、照明制御部１０から光源駆動部２０Ａへ信号（返信要求信号ＲＱまたはシリアル信号ＳＬ）を伝達し、第２信号線ＳＬ２は、光源駆動部２０Ａから照明制御部１０へ信号（返信信号ＡＳ）を伝達してもよい。
【００２５】
複数の照明器具１のうちの照明器具１Ｂは、ＰＷＭ（Ｐｕｌｓｅ  Ｗｉｄｔｈ  Ｍｏｄｕｌａｔｉｏｎ）制御方式に対応している。ＰＷＭ制御方式とは、ＰＷＭ信号に基づく照明器具の制御方式のことである。なお、照明システムＳＹＳは、単数または複数の照明器具１Ｂだけを備えていてもよい。
【００２６】
照明器具１Ｂの光源駆動部２０は、ＰＷＭ制御方式に対応している。以下、ＰＷＭ制御方式に対応している光源駆動部２０を「光源駆動部２０Ｂ」と記載する場合がある。光源駆動部２０Ａは、ＭＣＵのようなコンピューターを含んでいてもよい。コンピューターの構成は、システム制御部２００のコンピューターの構成と同様である。
【００２７】
照明制御部１０と光源駆動部２０Ｂとは、信号線ＰＷＬによって接続されている。具体的には、端子ｔ２と端子ｔ１２とが信号線ＰＷＬによって接続される。信号線ＰＷＬは、照明制御部１０から光源駆動部２０ＢへＰＷＭ信号を伝達する。光源駆動部２０Ｂは、ＰＷＭ信号に基づいて光源３０を駆動する。
【００２８】
ここで、複数の照明器具１の照明制御部１０は、光源駆動部２０Ａおよび光源駆動部２０Ｂに依存することなく、互いに同一構成を有する。
【００２９】
次に、図２を参照して、照明制御部１０を説明する。図２は、照明制御部１０を示す図である。図２に示すように、照明制御部１０は、通信部１００と、制御部１０１と、シリアル信号生成部１０２と、ＰＷＭ信号生成部１０３とを含む。
【００３０】
通信部１００は、システム制御部２００と、有線通信または無線通信を行う。通信部１００は、例えば、通信インタフェースまたは通信機である。具体的には、システム制御部２００は照明制御信号ＬＣを照明器具１に送信する。そして、通信部１００は照明制御信号ＬＣを受信する。照明制御信号ＬＣは照明器具１を制御する情報（以下、「制御情報ＣＬ１」と記載する。）を含む。具体的には、制御情報ＣＬ１は、光源３０の光量を制御する情報、および／または、光源３０の光色を制御する情報を含む。光源３０の光量の制御は、例えば、調光である。光源３０の光色の制御は、例えば、調色である。
【００３１】
制御部１０１は、通信部１００、シリアル信号生成部１０２、および、ＰＷＭ信号生成部１０３を制御する。制御部１０１は記憶部１０１ａを含む。記憶部１０１ａは、記憶装置であり、コンピュータープログラムおよびデータを記憶する。記憶装置は、半導体メモリーのような主記憶装置および補助記憶装置を含む。制御部１０１は、ＭＣＵのようなコンピューターを含む。コンピューターは、プロセッサーおよび記憶部１０１ａを含む。プロセッサーは、記憶部１０１ａに記憶されたコンピュータープログラムを実行して、各種処理を実行する。
【００３２】
シリアル信号生成部１０２は、シリアル通信を実行する通信機として機能する。シリアル通信とは、伝送路上を一度に１ビットずつデータを送信する通信のことである。
【００３３】
シリアル信号生成部１０２は、シリアル信号ＳＬを照明制御信号ＬＣに基づいて生成する。シリアル信号ＳＬは光源駆動部２０Ａを制御する情報（以下、「制御情報ＣＬ２」と記載する。）を含む。具体的には、制御情報ＣＬ２は、光源３０の光量を制御する情報、および／または、光源３０の光色を制御する情報を含む。シリアル信号ＳＬはデジタル信号である。シリアル信号生成部１０２は、例えば、シリアル信号生成回路である。
【００３４】
ＰＷＭ信号生成部１０３は、ＰＷＭ信号を照明制御信号ＬＣに基づいて生成する。ＰＷＭ信号は、周期Ｔが一定であってパルス幅τが可変の信号であり、光源駆動部２０Ｂを制御する。具体的には、ＰＷＭ信号生成部１０３は、ＰＷＭ信号のデューティ比Ｄ（＝τ／Ｔ）を変化させることにより、光源３０から出射される光の光量を変化させる。ＰＷＭ信号は光源駆動部２０ＢをＰＷＭ信号生成部１０３は、例えば、ＰＷＭ信号生成回路である。
【００３５】
本実施形態によれば、照明制御部１０がシリアル信号生成部１０２とＰＷＭ信号生成部１０３とを含むため、照明制御部１０は、２つの異なる制御方式（デジタル制御方式およびＰＷＭ制御方式）に対応可能である。その結果、照明器具１が２種類の光源駆動部２０（光源駆動部２０Ａおよび光源駆動部２０Ｂ）を搭載し得る場合であっても、光源駆動部２０の種類ごとに異なる照明制御部を製造することが要求されず、照明制御部１０の製造コストを低減できる。
【００３６】
具体的には、制御部１０１は、次のようにして、光源駆動部２０の制御モードを設定する。
【００３７】
すなわち、制御部１０１は、返信要求信号ＲＱをシリアル通信によって光源駆動部２０に送信するように、シリアル信号生成部１０２を制御する。その結果、シリアル信号生成部１０２は、返信要求信号ＲＱを生成して、返信要求信号ＲＱをシリアル通信によって光源駆動部２０に送信する。返信要求信号ＲＱは、光源駆動部２０に対して返信信号ＡＳを送信することを要求する情報を含む。返信要求信号ＲＱはデジタル信号である。返信要求信号ＲＱは「所定信号」の一例に相当する。
【００３８】
制御部１０１は、返信要求信号ＲＱに対する光源駆動部２０からの返信信号ＡＳの有無に基づいて、光源駆動部２０の制御モードをデジタル制御モードおよびＰＷＭ制御モードのうちのいずれかに設定する。
【００３９】
デジタル制御モードは、シリアル信号生成部１０２にシリアル信号ＳＬを生成させて、シリアル通信によってシリアル信号ＳＬを光源駆動部２０Ａに送信し、シリアル信号ＳＬによって光源駆動部２０Ａを制御するモードを示す。
【００４０】
ＰＷＭ制御モードは、ＰＷＭ信号生成部１０３にＰＷＭ信号を生成させて、ＰＷＭ信号を光源駆動部２０Ｂに送信し、ＰＷＭ信号によって光源駆動部２０Ｂを制御するモードを示す。
【００４１】
具体的には、光源駆動部２０がデジタル制御方式に対応している光源駆動部２０Ａである場合には、光源駆動部２０Ａ（具体的には通信部）は、返信要求信号ＲＱを受信したことに応答して、シリアル通信によって返信信号ＡＳを照明制御部１０に送信する。返信信号ＡＳはデジタル信号である。
【００４２】
光源駆動部２０Ａが返信信号ＡＳを送信すると、シリアル信号生成部１０２が返信信号ＡＳを受信する。制御部１０１は、シリアル信号生成部１０２が返信信号ＡＳを受信すると、光源駆動部２０Ａがデジタル制御方式に対応していると判定して、光源駆動部２０Ａの制御モードをデジタル制御モードに設定する。具体的には、制御部１０１は、制御モードがデジタル制御モードであることを示す情報を記憶部１０１ａに記憶する。
【００４３】
一方、光源駆動部２０がデジタル制御方式に対応していない光源駆動部２０Ｂである場合には、光源駆動部２０Ｂは返信信号ＡＳを送信することができない。そこで、制御部１０１は、光源駆動部２０Ｂがデジタル制御方式ではなくＰＷＭ制御方式に対応していると判定して、光源駆動部２０Ｂの制御モードをＰＷＭ制御モードに設定する。具体的には、制御部１０１は、制御モードがＰＷＭ制御モードであることを示す情報を記憶部１０１ａに記憶する。
【００４４】
以上、図２を参照して説明したように、本実施形態によれば、制御部１０１は、シリアル通信による返信要求信号ＲＱの送信処理と、シリアル通信による返信信号ＡＳの受信の有無の判定処理とに基づいて、簡易かつ精度良く、光源駆動部２０が、デジタル制御方式対応しているか、または、ＰＷＭ制御方式に対応しているかを判定できる。
【００４５】
具体的には、制御部１０１は、返信要求信号ＲＱが光源駆動部２０に送信された時から所定時間Ｔｘ以内に、光源駆動部２０から返信要求信号ＲＱに対する返信信号ＡＳを受信した場合に、制御モードをデジタル制御モードに設定する。一方、制御部１０１は、返信要求信号ＲＱが光源駆動部２０に送信された時から所定時間Ｔｘ以内に、返信信号ＡＳを受信しなかった場合に、制御モードをＰＷＭ制御モードに設定する。
【００４６】
従って、本実施形態によれば、制御部１０１は、返信信号ＡＳの送信を長時間待つことなく、制御モードをデジタル制御モードおよびＰＷＭ制御モードのうちのいずれかに設定できる。つまり、制御部１０１は、制御モードを迅速に設定できる。所定時間Ｔｘは、例えば、シリアル通信の通信速度に応じて決定される。所定時間Ｔｘは、例えば、ミリ秒またはマイクロ秒のオーダーである。所定時間Ｔｘは、例えば、５０ミリ秒である。
【００４７】
次に、図２および図３を参照して、照明制御部１０による制御モード設定処理を説明する。制御モード設定処理は、光源駆動部２０の制御モードを設定する処理である。図３は、制御モード設定処理を示すフローチャートである。図３に示すように、制御モード設定処理は、ステップＳ１〜ステップＳ９を含む。
【００４８】
図２および図３に示すように、ステップＳ１において、制御部１０１は、返信要求信号ＲＱを光源駆動部２０に送信するように、シリアル信号生成部１０２を制御する。その結果、シリアル信号生成部１０２は、シリアル通信によって光源駆動部２０に返信要求信号ＲＱを送信する。
【００４９】
ステップＳ３において、制御部１０１は、通信部１００が光源駆動部２０から返信信号ＡＳを受信したか否かを判定する。
【００５０】
ステップＳ３で返信信号ＡＳが受信されたと判定された場合は、処理はステップＳ５に進む。返信信号ＡＳが受信されたと判定されたことは、光源駆動部２０がデジタル制御方式に対応していることを示す。
【００５１】
ステップＳ５において、制御部１０１は、光源駆動部２０の制御モードをデジタル制御モードに設定する。そして、制御部１０１は、制御モード設定処理を終了する。
【００５２】
一方、ステップＳ３で返信信号ＡＳが受信されていないと判定された場合は、処理はステップＳ７に進む。
【００５３】
ステップＳ７において、制御部１０１は、返信要求信号ＲＱが光源駆動部２０に送信された時から所定時間Ｔｘが経過したか否かを判定する。
【００５４】
ステップＳ７で所定時間Ｔｘが経過していないと判定された場合は、処理はステップＳ３に戻る。
【００５５】
一方、ステップＳ７で所定時間Ｔｘが経過したと判定された場合は、処理はステップＳ９に進む。返信信号ＡＳが受信されたと判定され、かつ、所定時間Ｔｘが経過したと判定されたことは、光源駆動部２０が、デジタル制御方式に対応しておらず、ＰＷＭ制御方式に対応していることを示す。
【００５６】
ステップＳ９において、制御部１０１は、光源駆動部２０の制御モードをＰＷＭ制御モードに設定する。そして、制御部１０１は、制御モード設定処理を終了する。
【００５７】
次に、図２および図４を参照して、照明制御部１０による照明制御処理を説明する。照明制御処理は、光源駆動部２０を制御する処理である。図４は、照明制御処理を示すフローチャートである。図４に示すように、照明制御処理は、ステップＳ１１〜ステップＳ１７を含む。
【００５８】
図２および図４に示すように、ステップＳ１１において、制御部１０１は、通信部１００を介してシステム制御部２００から照明制御信号ＬＣを受信する。
【００５９】
ステップＳ１３において、制御部１０１は、記憶部１０１ａを参照して、光源駆動部２０の制御モードが、デジタル制御モードか、ＰＷＭ制御モードかを判定する。
【００６０】
ステップＳ１３で制御モードがデジタル制御モードであると判定された場合は、処理はステップＳ１５に進む。制御モードがデジタル制御モードであると判定されたことは、光源駆動部２０が、デジタル制御方式に対応している光源駆動部２０Ａであることを示す。
【００６１】
ステップＳ１５において、制御部１０１は、シリアル信号ＳＬが照明制御信号ＬＣの示す制御情報ＣＬ１に応じた制御情報ＣＬ２を含むように、シリアル信号生成部１０２にシリアル信号ＳＬを生成させる。従って、シリアル信号生成部１０２はシリアル信号ＳＬを生成する。本実施形態では、照明制御信号ＬＣに基づく制御部１０１の制御の下で、シリアル信号生成部１０２がシリアル信号ＳＬを生成することは、シリアル信号生成部１０２がシリアル信号ＳＬを照明制御信号ＬＣに基づいて生成することを示す。
【００６２】
そして、シリアル信号生成部１０２は、シリアル通信によってシリアル信号ＳＬを光源駆動部２０Ａに送信する。従って、光源駆動部２０Ａは、シリアル信号ＳＬに含まれる制御情報ＣＬ２に応じた定電流を生成して、定電流を光源３０に供給する。その結果、光源３０は、制御情報ＣＬ２に従って光を出射する。
【００６３】
一方、ステップＳ１３で制御モードがＰＷＭ制御モードであると判定された場合は、処理はステップＳ１７に進む。制御モードがＰＷＭ制御モードであると判定されたことは、光源駆動部２０が、ＰＷＭ制御方式に対応している光源駆動部２０Ｂであることを示す。
【００６４】
ステップＳ１７において、制御部１０１は、ＰＷＭ信号が照明制御信号ＬＣの示す制御情報ＣＬ１に応じたデューティ比Ｄを有するように、ＰＷＭ信号生成部１０３にＰＷＭ信号を生成させる。従って、ＰＷＭ信号生成部１０３はＰＷＭ信号を生成する。本実施形態では、照明制御信号ＬＣに基づく制御部１０１の制御の下で、ＰＷＭ信号生成部１０３がＰＷＭ信号を生成することは、ＰＷＭ信号生成部１０３がＰＷＭ信号を照明制御信号ＬＣに基づいて生成することを示す。
【００６５】
そして、ＰＷＭ信号生成部１０３は、ＰＷＭ信号を光源駆動部２０Ｂに送信する。従って、光源駆動部２０Ｂは、ＰＷＭ信号の示すデューティ比Ｄに応じた定電流を生成して、定電流を光源３０に供給する。その結果、光源３０は、制御情報ＣＬ２に従って光を出射する。
【００６６】
なお、光源駆動部２０Ｂは、ＰＷＭ信号のデューティ比Ｄを解釈して、光源３０から出射する光の光量および光色を決定して、光源３０の光量および光色を制御してもよい。また、ＰＷＭ信号生成部１０３は、互いに光色の異なる複数の発光ダイオードに対応して複数のＰＷＭ信号を生成して、複数のＰＷＭ信号を光源駆動部２０Ｂに送信してもよい。この場合、複数本の信号線ＰＷＬが照明器具１Ｂに設けられる。
【００６７】
以上、図面を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【産業上の利用可能性】
【００６８】
本発明は、照明制御装置、照明器具、および照明システムに関するものであり、産業上の利用可能性を有する。
【符号の説明】
【００６９】
１、１Ａ、１Ｂ      照明器具
１０      照明制御部（照明制御装置）
２０、２０Ａ、２０Ｂ      光源駆動部
３０      光源
１００      通信部
１０１      制御部
１０２      シリアル信号生成部
１０３      ＰＷＭ信号生成部
２００      システム制御部
ＳＹＳ    照明システム
【図１】
2019192529.tif 000003
【図２】
2019192529.tif 000004
【図３】
2019192529.tif 000005
【図４】
2019192529.tif 000006